【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
ネットワークを介して接続された複数の画像処理装置を連携させてジョブを実行可能な画像処理装置であって、
画像データを入力する入力手段と、
前記入力手段により入力された画像データの出力先となる他の画像処理装置の処理能力を示す機能情報を該他の画像処理装置から取得する第１の取得手段と、
前記取得した機能情報に基づいて、前記ジョブを実行する際の設定に機能制限を設ける必要があるか否かを判定する判定手段と、
前記判定手段の判定結果に従って前記ジョブの設定画面の表示内容を制限し、前記画像処理装置に備えられる表示装置に該設定画面を表示させる表示制御手段と、
前記設定画面を介して入力された情報に従って前記ジョブの設定を決定する決定手段と、
前記決定されたジョブの設定及び前記画像データを前記他の画像処理装置に送信する送信手段と、を備えることを特徴とする画像処理装置。
【請求項２】
前記判定手段は、前記第１の取得手段により取得した前記他の画像処理装置の機能情報と、前記画像処理装置の機能情報と、に基づいて、機能制限を設ける必要があるか否かを判定することを特徴とする請求項１記載の画像処理装置。
【請求項３】
前記表示制御手段は、
前記画像データを入力するための入力設定を設定する際に、前記画像処理装置が有する操作画面及び操作手順の情報を含む操作情報を参照して、入力設定画面を前記表示装置に表示させ、
前記画像データに従って画像を出力するための出力設定を設定する際に、前記他の画像処理装置が有する前記操作情報に参照先を切り替えて、出力設定画面を前記表示装置に表示させることを特徴とする請求項１又は２に記載の画像処理装置。
【請求項４】
前記表示制御手段は、
前記画像データを入力するための入力設定を設定する際に、前記画像処理装置が有するプログラムモジュールを実行することにより、入力設定画面を前記表示装置に表示させ、
前記画像データに従って画像を出力するための出力設定を設定する際に、前記他の画像処理装置が有するプログラムモジュールを取得して実行することにより、出力設定画面を前記表示装置に表示させることを特徴とする請求項１又は２に記載の画像処理装置。
【請求項５】
前記出力設定画面を介して入力された出力設定情報を前記他の画像処理装置から取得する第２の取得手段と、
前記入力設定画面を介して入力された入力設定情報と前記取得した出力設定情報とを合成する合成手段とをさらに備え、
前記決定手段は、
前記合成された情報に従って前記ジョブの設定のうち、入力設定及び出力設定を決定することを特徴とする請求項１又は２に記載の画像処理装置。
【請求項６】
前記ジョブに固有のＩＤを割り当てる割り当て手段と、
前記割り当てられたＩＤを前記他の画像処理装置に通知する通知手段と、をさらに備え、
前記送信手段は、
前記割り当てられたＩＤを付加して、前記決定されたジョブの設定及び前記画像データを前記他の画像処理装置に送信することを特徴とする請求項１又は２に記載の画像処理装置。
【請求項７】
ネットワークを介して接続された複数の画像処理装置を連携させてジョブを実行可能な画像処理装置の制御方法であって、
前記画像処理装置において入力された画像データの出力先となる他の画像処理装置の処理能力を示す機能情報を該他の画像処理装置から取得する第１の取得工程と、
前記取得した機能情報に基づいて、前記ジョブを実行する際の設定に機能制限を設ける必要があるか否かを判定する判定工程と、
前記判定工程における判定結果に従って前記ジョブの設定画面の表示内容を制限し、前記画像処理装置に備えられる表示装置に該設定画面を表示させる表示制御工程と、
前記設定画面を介して入力された情報に従って前記ジョブの設定を決定する決定工程と、
前記決定されたジョブの設定及び前記画像データを前記他の画像処理装置に送信する送信工程と、
を有することを特徴とする制御方法。
【請求項８】
請求項７記載の制御方法の各ステップをコンピュータに実行させるためのプログラム。
【請求項９】
ネットワークを介して接続された複数の画像処理装置を連携させてジョブを実行可能であり、該ジョブにおいて、画像データを入力する第１の画像処理装置と、入力された前記画像データに従って画像を出力する第２の画像処理装置とを備える画像処理システムの制御方法であって、
前記第１の画像処理装置は、
前記第２の画像処理装置の処理能力を示す機能情報を該第２の画像処理装置から取得する第１の取得ステップと、
前記取得した機能情報に基づいて、前記ジョブを実行する際の設定に機能制限を設ける必要があるか否かを判定する判定ステップと、
前記判定ステップの判定結果に従って前記ジョブの設定画面の表示内容を制限し、前記第１の画像処理装置に備えられる表示装置に該設定画面を表示させる表示制御ステップと、
前記設定画面を介して入力された情報に従って前記ジョブの設定を決定する決定ステップと、
前記決定されたジョブの設定及び前記画像データを前記第２の画像処理装置に送信する送信ステップとを実行し、
前記第２の画像処理装置は、
前記送信されたジョブの設定及び前記画像データに従って画像を出力する出力ステップを実行することを特徴とする画像処理システムの制御方法。
【手続補正２】
【補正対象書類名】明細書
【補正対象項目名】発明の名称
【補正方法】変更
【補正の内容】
【発明の名称】画像処理装置、制御方法、及びプログラム
【手続補正３】
【補正対象書類名】明細書
【補正対象項目名】０００１
【補正方法】変更
【補正の内容】
【０００１】
本発明は、画像の読み取りと、読み取った画像の出力とを異なる装置で実行可能な画像処理装置、制御方法、及びプログラムに関するものである。
【手続補正４】
【補正対象書類名】明細書
【補正対象項目名】０００７
【補正方法】変更
【補正の内容】
【０００７】
本発明は、複数の画像処理装置を連携させてジョブを実行する際に、画像データの出力側装置の能力を考慮したジョブの設定画面を画像データの入力側装置に表示できるようにすることを目的とする。
【手続補正５】
【補正対象書類名】明細書
【補正対象項目名】０００８
【補正方法】変更
【補正の内容】
【０００８】
本発明は、例えば、ネットワークを介して接続された複数の画像処理装置を連携させてジョブを実行可能な画像処理装置であって、画像データを入力する入力手段と、前記入力手段により入力された画像データの出力先となる他の画像処理装置の処理能力を示す機能情報を該他の画像処理装置から取得する第１の取得手段と、前記取得した機能情報に基づいて、前記ジョブを実行する際の設定に機能制限を設ける必要があるか否かを判定する判定手段と、前記判定手段の判定結果に従って前記ジョブの設定画面の表示内容を制限し、前記画像処理装置に備えられる表示装置に該設定画面を表示させる表示制御手段と、前記設定画面を介して入力された情報に従って前記ジョブの設定を決定する決定手段と、前記決定されたジョブの設定及び前記画像データを前記他の画像処理装置に送信する送信手段と、を備えることを特徴とする。
【手続補正６】
【補正対象書類名】明細書
【補正対象項目名】０００９
【補正方法】変更
【補正の内容】
【０００９】
また、本発明は、ネットワークを介して接続された複数の画像処理装置を連携させてジョブを実行可能な画像処理装置の制御方法であって、前記画像処理装置において入力された画像データの出力先となる他の画像処理装置の処理能力を示す機能情報を該他の画像処理装置から取得する第１の取得工程と、前記取得した機能情報に基づいて、前記ジョブを実行する際の設定に機能制限を設ける必要があるか否かを判定する判定工程と、
前記判定工程における判定結果に従って前記ジョブの設定画面の表示内容を制限し、前記画像処理装置に備えられる表示装置に該設定画面を表示させる表示制御工程と、前記設定画面を介して入力された情報に従って前記ジョブの設定を決定する決定工程と、前記決定されたジョブの設定及び前記画像データを前記他の画像処理装置に送信する送信工程と、を有することを特徴とする。
【手続補正７】
【補正対象書類名】明細書
【補正対象項目名】００１０
【補正方法】変更
【補正の内容】
【００１０】
本発明は、例えば、ネットワークを介して接続された複数の画像処理装置を連携させてジョブを実行可能であり、該ジョブにおいて、画像データを入力する第１の画像処理装置と、入力された前記画像データに従って画像を出力する第２の画像処理装置とを備える画像処理システムの制御方法であって、前記第１の画像処理装置は、前記第２の画像処理装置の処理能力を示す機能情報を該第２の画像処理装置から取得する第１の取得ステップと、前記取得した機能情報に基づいて、前記ジョブを実行する際の設定に機能制限を設ける必要があるか否かを判定する判定ステップと、前記判定ステップの判定結果に従って前記ジョブの設定画面の表示内容を制限し、前記第１の画像処理装置に備えられる表示装置に該設定画面を表示させる表示制御ステップと、前記設定画面を介して入力された情報に従って前記ジョブの設定を決定する決定ステップと、前記決定されたジョブの設定及び前記画像データを前記第２の画像処理装置に送信する送信ステップとを実行し、前記第２の画像処理装置は、前記送信されたジョブの設定及び前記画像データに従って画像を出力する出力ステップを実行することを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明は、例えば、、複数の画像処理装置を連携させてジョブを実行する際に、画像データの出力側装置の能力を考慮したジョブの設定画面を画像データの入力側装置に表示できる。